【手続補正書】
【提出日】平成20年2月19日(2008.2.19)
【手続補正１】
【補正対象書類名】明細書
【補正対象項目名】特許請求の範囲
【補正方法】変更
【補正の内容】
【特許請求の範囲】
【請求項１】  回転自在な像担持体と、加圧手段により前記像担持体に所定の加圧力で当接され帯電バイアスの印加により前記像担持体を帯電する回転自在な接触帯電部材とを備え、前記像担持体の回転軸線に対して前記接触帯電部材の回転軸線が所定の交差角をもって当接するとともに、前記接触帯電部材は前記像担持体の回転駆動によって従動回転し、回転時において前記交差角によって発生する力により、前記接触帯電部材をその回転軸線の一方向への寄り力を作用させた状態で前記像担持体に当接させる画像形成装置において、
前記交差角をθ（°）、前記加圧手段による前記接触帯電部材の前記像担持体への加圧力をＳ（Ｎ）、前記接触帯電部材の硬度をＲ（°）、前記接触帯電部材の表面滑り係数をＨとしたとき、
Ｆ＝ｔａｎθ×Ｓ×Ｒ×Ｈ
で表される前記接触帯電部材の寄り力指数Ｆが０．８＜Ｆ＜９．４の範囲に設定される、
ことを特徴とする画像形成装置。
【請求項２】  前記接触帯電部材は、導電性の支持体の表面に導電性の弾性層を有し、更にその外周面に薄層の抵抗層が接着部材を介さずに被覆されている、
ことを特徴とする請求項１に記載の画像形成装置。
【請求項３】  前記交差角θは、０＜θ＜５°の範囲に設定される、
ことを特徴とする請求項１に記載の画像形成装置。
【請求項４】  回転自在な像担持体と、加圧手段により前記像担持体に所定の加圧力で当接され帯電バイアスの印加により前記像担持体を帯電する回転自在な接触帯電部材とを少なくとも備え、画像形成装置に対して着脱可能であり、前記像担持体の回転軸線に対して前記接触帯電部材の回転軸線が所定の交差角をもって当接するとともに、前記接触帯電部材は前記像担持体の回転駆動によって従動回転し、回転時において前記交差角によって発生する力により、前記接触帯電部材をその回転軸線の一方向への寄り力を作用させた状態で前記像担持体に当接させるプロセスカートリッジにおいて、
前記交差角をθ（°）、前記加圧手段による前記接触帯電部材の前記像担持体への加圧力をＳ（Ｎ）、前記接触帯電部材の硬度をＲ（°）、前記接触帯電部材の表面滑り係数をＨとしたとき、
Ｆ＝ｔａｎθ×Ｓ×Ｒ×Ｈ
で表される前記接触帯電部材の寄り力指数Ｆが０．８＜Ｆ＜９．４の範囲に設定される、
ことを特徴とするプロセスカートリッジ。
【請求項５】  前記接触帯電部材は、導電性の支持体の表面に導電性の弾性層を有し、更にその外周面に薄層の抵抗層が接着部材を介さずに被覆されている、
ことを特徴とする請求項４に記載のプロセスカートリッジ。
【請求項６】  前記交差角θは、０＜θ＜５°の範囲に設定される、
ことを特徴とする請求項４に記載のプロセスカートリッジ。
【手続補正２】
【補正対象書類名】明細書
【補正対象項目名】０００１
【補正方法】変更
【補正の内容】
【０００１】
【発明の属する技術分野】
本発明は、電子写真方式や静電記録方式などを利用して画像形成を行う複写機、プリンタ、ファクシミリ等の画像形成装置、及び感光体と少なくとも帯電部材とを備え画像形成装置に対して着脱自在に装着されるプロセスカートリッジに関する。
【手続補正３】
【補正対象書類名】明細書
【補正対象項目名】０００６
【補正方法】変更
【補正の内容】
【０００６】
上記したように感光ドラム１００の帯電部材として、接触帯電方式としての帯電ローラ１０１が帯電の安定性という観点から近年広く用いられている。即ち、帯電ローラ１０１を用いた接触帯電方式（ローラ帯電方式）は、ワイヤに高電圧をかけてコロナ放電を発生させそのコロナに感光ドラムをさらす、いわゆるコロナ帯電方式に比べ感光ドラム表面が所望の電位を得るのに必要な印加電圧の低電圧化が図れ、また、帯電過程で発生するオゾン量が少ないといった長所を有しているためである。
【手続補正４】
【補正対象書類名】明細書
【補正対象項目名】００１９
【補正方法】変更
【補正の内容】
【００１９】
【課題を解決するための手段】
上記目的を達成するために請求項１記載の発明は、回転自在な像担持体と、加圧手段により前記像担持体に所定の加圧力で当接され帯電バイアスの印加により前記像担持体を帯電する回転自在な接触帯電部材とを備え、前記像担持体の回転軸線に対して前記接触帯電部材の回転軸線が所定の交差角をもって当接するとともに、前記接触帯電部材は前記像担持体の回転駆動によって従動回転し、回転時において前記交差角によって発生する力により、前記接触帯電部材をその回転軸線の一方向への寄り力を作用させた状態で前記像担持体に当接させる画像形成装置において、前記交差角をθ（°）、前記加圧手段による前記接触帯電部材の前記像担持体への加圧力をＳ（Ｎ）、前記接触帯電部材の硬度をＲ（°）、前記接触帯電部材の表面滑り係数をＨとしたとき、Ｆ＝ｔａｎθ×Ｓ×Ｒ×Ｈで表される前記接触帯電部材の寄り力指数Ｆが０．８＜Ｆ＜９．４の範囲に設定されることを特徴としている。
【手続補正５】
【補正対象書類名】明細書
【補正対象項目名】００２０
【補正方法】変更
【補正の内容】
【００２０】
また、請求項４記載の発明は、回転自在な像担持体と、加圧手段により前記像担持体に所定の加圧力で当接され帯電バイアスの印加により前記像担持体を帯電する回転自在な接触帯電部材とを少なくとも備え、画像形成装置に対して着脱可能であり、前記像担持体の回転軸線に対して前記接触帯電部材の回転軸線が所定の交差角をもって当接するとともに、前記接触帯電部材は前記像担持体の回転駆動によって従動回転し、回転時において前記交差角によって発生する力により、前記接触帯電部材をその回転軸線の一方向への寄り力を作用させた状態で前記像担持体に当接させるプロセスカートリッジにおいて、前記交差角をθ（°）、前記加圧手段による前記接触帯電部材の前記像担持体への加圧力をＳ（Ｎ）、前記接触帯電部材の硬度をＲ（°）、前記接触帯電部材の表面滑り係数をＨとしたとき、Ｆ＝ｔａｎθ×Ｓ×Ｒ×Ｈで表される前記接触帯電部材の寄り力指数Ｆが０．８＜Ｆ＜９．４の範囲に設定されることを特徴としている。
【手続補正６】
【補正対象書類名】明細書
【補正対象項目名】００２５
【補正方法】変更
【補正の内容】
【００２５】
接触帯電部材としての帯電ローラ２は、感光ドラム１表面に所定の押圧力で当接して従動回転し、帯電バイアス電源９から印加される帯電バイアスによって感光ドラム１を所定の極性、電位に均一に帯電する（本発明の特徴である帯電ローラ２の詳細については後述する）。
【手続補正７】
【補正対象書類名】明細書
【補正対象項目名】００７０
【補正方法】変更
【補正の内容】
【００７０】
【発明の効果】
以上説明したように本発明によれば、像担持体の回転軸線と接触帯電部材の回転軸線が所定の交差角をθ（°）、加圧手段による接触帯電部材の像担持体への加圧力をＳ（Ｎ）、接触帯電部材の硬度をＲ（°）、接触帯電部材の表面滑り係数をＨとしたとき、Ｆ＝ｔａｎθ×Ｓ×Ｒ×Ｈで表される接触帯電部材の寄り力指数Ｆを０．８＜Ｆ＜９．４の範囲に設定することにより、接触帯電部材に適正な寄り力が作用して、接触帯電部材が所望の位置に移動して像担持体に当接することによって、接触帯電部材と像担持体とが当接する帯電領域において、長期にわたって安定した帯電幅を保持して良好な画像形成を行うことができる。